(57)【要約】【課題】上方は間接光で広く照射すると共に下方は直接光および間接光で明るく照射する配光制御を実現でき、しかも、絶縁性を保ちつつ強固に取り付けることが可能な照明装置を提供する。【解決手段】ケーシング１１の正面側に光出射面１２を形成し、該ケーシング１１内に、上方照射用光源２０を、その光軸が光出射面１２に交差しない位置に収容し、該上方照射用光源２０からの直接光を反射させた間接光を光出射面１２から斜め上方に向けて出射させる上方反射面５１を設け、かつ、下方照射用光源３０を、その光軸が光出射面１２に交差し、該下方照射用光源３０からの直接光を光出射面１２から斜め下方に向けて出射させる位置に収納し、該下方照射用光源３０からの直接光の一部を反射させた間接光を光出射面１２から直接光に重ねて出射させる下方反射面５２，５３を設けた。【選択図】図１
2015153693.tif 000002
【特許請求の範囲】
【請求項１】
上下の別方向に光を照射可能であり、上方照射用光源と、下方照射用光源と、これらの各光源を収容するケーシングと、を備えた照明装置において、
前記ケーシングの周壁のうち正面側に透光性を有する光出射面を形成し、
前記ケーシング内に、
前記上方照射用光源を、その光軸が前記光出射面に交差しない位置に収容すると共に、該上方照射用光源からの直接光を反射し、該反射した間接光を前記光出射面から少なくとも斜め上方に向けて出射させる上方反射面を設け、
かつ、前記下方照射用光源を、その光軸が前記光出射面に交差し、該下方照射用光源からの直接光を前記光出射面から斜め下方に向けて出射させる位置に収納すると共に、該下方照射用光源からの直接光の一部を反射し、該反射した間接光を前記光出射面から直接光が向かう斜め下方に向けて重ねて出射させる下方反射面を設けたことを特徴とする照明装置。
【請求項２】
前記ケーシング内に収納され、前記上方照射用光源と前記下方照射用光源を取り付ける光源ユニットを有し、該光源ユニットに、前記上方反射面と前記下方反射面を一体に設けたことを特徴とする請求項１に記載の照明装置。
【請求項３】
前記ケーシングの周壁を、絶縁性を有する樹脂材料により密閉可能に構成し、該周壁のうち正面側以外に、据付箇所に対して固定する取付面を形成し、
前記取付面に、前記据付箇所に固定するための取付部品の一部を、前記ケーシング内に貫通させない状態で取り付け可能な被取付部を設けたことを特徴とする請求項１または２に記載の照明装置。
【請求項４】
前記ケーシングの取付面における被取付部は、蟻溝状の断面形状に形成され、その内部に、前記取付部品であるボルトを貫通させた金属製の細幅な取付プレートを挿入可能であり、該取付プレートと共に前記ボルトの頭部が前記被取付部の内部に収容される一方、前記取付プレートに貫通して突出した前記ボルトの脚部が、前記取付面より突出することを特徴とする請求項３に記載の照明装置。
【請求項５】
前記上方照射用光源と前記下方照射用光源とを、それぞれ同一構造の光源から構成し、
前記上方反射面からの間接光の照射範囲を、前記下方照射用光源からの直接光および前記下方反射面からの間接光の照射範囲よりも大きく設定したことを特徴とする請求項１，２，３または４に記載の照明装置。
【請求項６】
前記ケーシングは、両側方向に延びる長尺の形状であり、
前記上方照射用光源、前記下方照射用光源、前記上方反射面、および前記下方反射面も、それぞれ前記ケーシングの両側方向に沿って延びる長尺な形状であることを特徴とする請求項１，２，３，４または５に記載の照明装置。
【請求項７】
前記上方照射用光源と前記下方照射用光源は、それぞれ細幅な基板上に複数のＬＥＤを配列させて成ることを特徴とする請求項１，２，３，４，５または６に記載の照明装置。
【請求項８】
前記照明装置は、鉄道車輌基地の床下に設けられた点検ピットにおける車輌点検作業時の安全性を確保するものであり、
前記ケーシングは、前記点検ピット内における開口断面の両側壁、あるいは両側壁の上方に沿って敷設された一対の軌条に設置され、
前記上方照射用光源は、前記点検ピット内で点検作業を行う作業者の目線位置ないし前記一対の軌条上にある車輌底面を間接的に照射し、
前記下方照射用光源は、前記点検ピット内の床面ないし作業者の足元を直接的かつ間接的に照射することを特徴とする請求項１，２，３，４，５，６または７に記載の照明装置。
【発明の詳細な説明】
【技術分野】
【０００１】
本発明は、上下の別方向に光を照射可能であり、上方照射用光源と、下方照射用光源と、これら各光源を収容するケーシングと、を備えた照明装置に関し、特に、鉄道車輌基地の床下に設けられた点検ピットにおける車輌点検作業時の安全性を確保するためのものである。
【背景技術】
【０００２】
従来、鉄道車輌基地の床下に設けられた点検ピットでは、車輌点検作業時の安全性を確保するための照明として蛍光灯が主に使用されていた。点検ピット内での車輌点検作業時には、点検する車輌底面の他、作業者の足元のピット床面も広く照らす必要があり、通常は蛍光灯を、ピット内の両側壁あるいは両側壁の上方に沿って敷設された一対の軌条に沿って、互いに等間隔に並ぶように設置していた。
【０００３】
また、最近の照明器具の全般的な傾向として、蛍光灯の代わりにＬＥＤランプを光源とするものが増えている。ここで、点検ピット用の照明器具として利用可能なものとして、例えば、駅構内照明用のＬＥＤ照明器がある（例えば特許文献１参照）。このような照明器を、点検ピット用の照明にそのまま流用することが考えられる。
【０００４】
ところが、前述した従来一般の蛍光灯や、特許文献１に記載のＬＥＤ照明器では、点検ピット用としての配光制御は全く考慮されていない。すなわち、不要な方向に光が出射して、特に、照明器のピット内での取り付け位置は作業者の目線の近傍となるため、不要な方向への光が作業者に眩しさを与えることになり安全上好ましくなかった。また、作業者の足元まで広い範囲で十分に照らすことができない虞もあった。
【０００５】
以上のような従来一般の蛍光灯やＬＥＤ照明器を点検ピットに採用した場合の問題に鑑みて、本件出願人は既に、点検ピットにおける特殊な環境下で使用する専用の照明装置として、上下の別方向に光を照射可能であり、上方照射用光源と、下方照射用光源と、これらの各光源を収容するケーシングと、を備えた照明装置を提案している（例えば特許文献２参照）。
【先行技術文献】
【特許文献】
【０００６】
【特許文献１】特開２０１１−１２８９４８号公報
【特許文献２】特開２０１３−１３７８９４号公報
【発明の概要】
【発明が解決しようとする課題】
【０００７】
しかしながら、前述した特許文献２に記載の照明装置であっても、その取付位置の関係上、点検する車輌底面付近は間接光で十分に照らすことはできても、作業者の足元のピット床面を照らす直接光は、当該照明装置の取付位置がピット床面から離れた上方となるため、明るさが不十分となる虞があった。よって、高出力の光源に代える等のコスト高を招く方法ではなく、安価により十分な照度を確保するための改良が望まれていた。
【０００８】
また、照明装置の設置には絶縁性が要求されるため、例えば、照明装置を取り付け用の樹脂板で挟んだ上で、この樹脂板に取り付けた樹脂ボルトによって、ピット内の両側壁等の所定の据付箇所に固定していた。このような樹脂製の取付部品だけでは、強度不足で樹脂ボルトが折れる等して照明装置が脱落する虞があった。よって、絶縁性を保ちつつ金属製の取付部品を用いて、より強固に取り付けるための工夫も望まれていた。
【０００９】
本発明は、以上のような従来技術の有する問題点に着目してなされたものであり、上方は間接光で広く照射し、下方は直接光および間接光で明るく照射する配光制御により、点検ピット用の照明として用いた場合に、作業者への眩しさを低減し、車輌下面や足元を効率良く照射することができ、特に、下方への照射に関しても十分な照度を確保することができ、さらに、絶縁性を保ちつつ強固に取り付けることが可能な照明装置を提供することを目的としている。
【課題を解決するための手段】
【００１０】
前述した目的を達成するための本発明の要旨とするところは、以下の各項の発明に存する。  
［１］上下の別方向に光を照射可能であり、上方照射用光源（２０）と、下方照射用光源（３０）と、これらの各光源を収容するケーシング（１１）と、を備えた照明装置（１０）において、
前記ケーシング（１１）の周壁のうち正面側に透光性を有する光出射面（１２）を形成し、
前記ケーシング（１１）内に、
前記上方照射用光源（２０）を、その光軸が前記光出射面（１２）に交差しない位置に収容すると共に、該上方照射用光源（２０）からの直接光を反射し、該反射した間接光を前記光出射面（１２）から少なくとも斜め上方に向けて出射させる上方反射面（５１）を設け、
かつ、前記下方照射用光源（３０）を、その光軸が前記光出射面（１２）に交差し、該下方照射用光源（３０）からの直接光を前記光出射面（１２）から斜め下方に向けて出射させる位置に収納すると共に、該下方照射用光源（３０）からの直接光の一部を反射し、該反射した間接光を前記光出射面（１２）から直接光が向かう斜め下方に向けて重ねて出射させる下方反射面（５２，５３）を設けたことを特徴とする照明装置（１０）。
【００１１】
［２］前記ケーシング（１１）内に収納され、前記上方照射用光源（２０）と前記下方照射用光源（３０）を取り付ける光源ユニット（４０）を有し、該光源ユニット（４０）に、前記上方反射面（５１）と前記下方反射面（５２，５３）を一体に設けたことを特徴とする前述の［１］に記載の照明装置（１０）。
【００１２】
［３］前記ケーシング（１１）の周壁を、絶縁性を有する樹脂材料により密閉可能に構成し、該周壁のうち正面側以外に、据付箇所に対して固定する取付面（１３）を形成し、
前記取付面（１３）に、前記据付箇所に固定するための取付部品の一部を、前記ケーシング（１１）内に貫通させない状態で取り付け可能な被取付部（１９）を設けたことを特徴とする前述の［１］または［２］に記載の照明装置（１０）。
【００１３】
［４］前記ケーシング（１１）の取付面（１３）における被取付部（１９）は、蟻溝状の断面形状に形成され、その内部に、前記取付部品であるボルト（１１０）を貫通させた金属製の細幅な取付プレート（１１１）を挿入可能であり、該取付プレート（１１１）と共に前記ボルト（１１０）の頭部が前記被取付部（１９）の内部に収容される一方、前記取付プレート（１１１）に貫通して突出した前記ボルト（１１０）の脚部が、前記取付面（１３）より突出することを特徴とする前述の［３］に記載の照明装置（１０）。
【００１４】
［５］前記上方照射用光源（２０）と前記下方照射用光源（３０）とを、それぞれ同一構造の光源から構成し、
前記上方反射面（５１）からの間接光の照射範囲を、前記下方照射用光源（３０）からの直接光および前記下方反射面（５２，５３）からの間接光の照射範囲よりも大きく設定したことを特徴とする前述の［１］，［２］，［３］または［４］に記載の照明装置（１０）。
【００１５】
［６］前記ケーシング（１１）は、両側方向に延びる長尺の形状であり、
前記上方照射用光源（２０）、前記下方照射用光源（３０）、前記上方反射面（５１）、および前記下方反射面（５２，５３）も、それぞれ前記ケーシング（１１）の両側方向に沿って延びる長尺な形状であることを特徴とする前述の［１］，［２］，［３］，［４］または［５］に記載の照明装置（１０）。
【００１６】
［７］前記上方照射用光源（２０）と前記下方照射用光源（３０）は、それぞれ細幅な基板（２１，３１）上に複数のＬＥＤ（２２，３２）を配列させて成ることを特徴とする前述の［１］，［２］，［３］，［４］，［５］または［６］に記載の照明装置（１０）。
【００１７】
［８］前記照明装置（１０）は、鉄道車輌基地の床下に設けられた点検ピット（Ａ）における車輌点検作業時の安全性を確保するものであり、
前記ケーシング（１１）は、前記点検ピット（Ａ）内における開口断面の両側壁、あるいは両側壁の上方に沿って敷設された一対の軌条（Ｂ）に設置され、
前記上方照射用光源（２０）は、前記点検ピット（Ａ）内で点検作業を行う作業者の目線位置ないし前記一対の軌条（Ｂ）上にある車輌底面を間接的に照射し、
前記下方照射用光源（３０）は、前記点検ピット（Ａ）内の床面ないし作業者の足元を直接的かつ間接的に照射することを特徴とする前述の［１］，［２］，［３］，［４］，［５］，［６］または［７］に記載の照明装置（１０）。
【００１８】
次に、前述した解決手段に基づく作用を説明する。  
前記［１］に記載の照明装置（１０）によれば、ケーシング（１１）の正面側の光出射面（１２）より上下の別方向に光が出射される。すなわち、ケーシング（１１）内において、上方照射用光源（２０）からの直接光は、光出射面（１２）に交差してそのまま出射されることはなく、いったん上方反射面（５１）により反射され、この反射された間接光が光出射面（１２）から少なくとも斜め上方に向けて出射される。
【００１９】
また、ケーシング（１１）内において、下方照射用光源（３０）からの直接光は、光出射面（１２）を交差してそのまま光出射面（１２）より斜め下方に向けて出射される。加えて、下方照射用光源（３０）からの直接光の一部は、下方反射面（５２，５３）により反射され、この反射された間接光は、前記光出射面（１２）から直接光が向かう斜め下方に向けて重ねて出射される。
【００２０】
このような配光制御により、上方へは間接光で下方へは直接光および間接光による上下に非対称の２方向に光を照射可能となる。例えば、前記［８］に記載したように、鉄道車輌基地の点検ピット（Ａ）用の照明装置（１０）とした場合、点検ピット（Ａ）内で点検作業を行う作業者の目線位置ないし車輌底面には間接光を照射し、作業者の足元の点検ピット（Ａ）床面には直接光および間接光を照射するので、作業者への眩しさを低減し、車輌下面や足元を効率良く照射することができる。
【００２１】
点検ピット（Ａ）における照明装置（１０）の取付位置は、作業者の目線の近傍となるよう比較的高い位置に設定されるため、作業者の足元の点検ピット（Ａ）床面からは離れることになるが、特に、下方照射用光源（３０）からの光は、光出射面（１２）を交差してそのまま出射される直接光だけでなく、下方反射面（５２，５３）で反射された間接光も加わるため、より十分な照度を確保することが可能となる。
【００２２】
前記［２］に記載の照明装置（１０）によれば、上方照射用光源（２０）と下方照射用光源（３０）を取り付ける光源ユニット（４０）を有し、この光源ユニット（４０）に、上方反射面（５１）と下方反射面（５２，５３）も一体に設けたので、部品点数を増やすことなく組立作業も容易に行うことができ、製造コストを抑えることができる。
【００２３】
前記［３］に記載の照明装置（１０）によれば、ケーシング（１１）の周壁を、絶縁性を有する樹脂材料により密閉可能に構成し、該周壁のうち正面側以外に、据付箇所に対して固定する取付面（１３）を形成する。この取付面（１３）に、据付箇所に固定するための取付部品の一部を、ケーシング（１１）内に貫通させない状態で取り付け可能な被取付部（１９）を設けたから、照明装置（１０）の取り付けに際しても確実に絶縁性を保つことができ、しかも、金属製の取付部品の使用によって、取り付け強度を高めることができる。
【００２４】
このように、照明装置（１０）の絶縁性を、材料と構造の組み合わせにより実現したが、具体的には例えば、前記［４］に記載したように、ケーシング（１１）の取付面（１３）における被取付部（１９）は、蟻溝状の断面形状に形成し、その内部に、取付部品であるボルト（１１０）を貫通させた金属製の細幅な取付プレート（１１１）を端から挿入する。
【００２５】
すると、取付プレート（１１１）と共にボルト（１１０）の頭部は、被取付部（１９）の内部に収容される。一方、取付プレート（１１１）に貫通して突出したボルト（１１０）の脚部は、前記取付面（１３）より突出することになり、ボルト（１１０）の脚部によって据付箇所に対して容易に取り付けることができる。ここでボルト（１１０）は通常は金属製であり、また、ケーシング（１１）の取付面（１３）に対しては、同じく金属製の取付プレート（１１１）を介して被取付部（１９）に強固に取り付けられるため、十分な取り付け強度を確保することができる。
【００２６】
前記［５］に記載の照明装置（１０）によれば、上方照射用光源（２０）と下方照射用光源（３０）とを、それぞれ同一構造の光源から構成する。これにより、部品が共用化されてコスト低減が可能となる。また、上方反射面（５１）からの間接光の照射範囲を、下方照射用光源（３０）からの直接光および下方反射面（５２，５３）からの間接光の照射範囲よりも大きく設定する。これにより、上方照射に関しては、いっそう眩しさを低減することができ、また広い範囲を照らすことができる。
【００２７】
前記［６］に記載の照明装置（１０）によれば、前記ケーシング（１１）は、両側方向に延びる長尺の形状であり、上方照射用光源（２０）と、下方照射用光源（３０）と、上方反射面（５１）と、下方反射面（５２，５３）も、それぞれ前記ケーシング（１１）の両側方向に沿って延びる形状とする。これにより、各々のユニットを例えば長手方向に連なるように配置することにより、長手方向に延びる広範囲な照明として活用するのに適する。
【００２８】
前記［７］に記載の照明装置（１０）によれば、上方照射用光源（２０）と、下方照射用光源（３０）は、それぞれ基板（２１，３１）上に複数のＬＥＤ（２２，３２）を配列させて構成する。これにより、従来の蛍光灯に比べて小型化が可能であり、消費電力を抑えることができ、配光制御も容易となり、また長寿命でもあるから交換の頻度を減らすことができる。
【発明の効果】
【００２９】
本発明に係る照明装置によれば、上方は間接光で広く照射すると共に下方は直接光で明るく照射する配光制御により、点検ピット用の照明として用いた場合に、作業者への眩しさを低減し、車輌下面や足元を効率良く照射することができ、作業の安全性や迅速性を補助することができる。
【００３０】
特に、下方照射用光源からの光は、光出射面を交差してそのまま出射される直接光だけでなく、下方反射面で反射された間接光も加わるため、より十分な照度を確保することが可能となる。
また、照明装置の取り付けに際しても確実に絶縁性を保つことができ、しかも、金属製の取付部品の使用によって、取り付け強度を高めることができる。
【図面の簡単な説明】
【００３１】
【図１】本発明の実施の形態に係る照明装置の内部構造を拡大して示す横断面図（図２のＩ−Ｉ線断面図）である。
【図２】本発明の実施の形態に係る照明装置を示す正面図である。
【図３】本発明の実施の形態に係る照明装置を示す平面図である。
【図４】本発明の実施の形態に係る照明装置を示す底面図である。
【図５】本発明の実施の形態に係る照明装置を示す左側面図である。
【図６】本発明の実施の形態に係る照明装置の内部構造を拡大して示す縦断面図（図３のVI−VI線断面図）である。
【図７】本発明の実施の形態に係る照明装置のケーシングを構成するカバー本体を示す正面図である。
【図８】本発明の実施の形態に係る照明装置のケーシングを構成するカバー本体を示す右側面図である。
【図９】本発明の実施の形態に係る照明装置のケーシングを構成するカバー本体を示す背面図である。
【図１０】本発明の実施の形態に係る照明装置のケーシングを構成するサイド部材を示す斜視図である。
【図１１】本発明の実施の形態に係る照明装置のケーシングを構成するサイド部材を別の角度から見た状態を示す斜視図である。
【図１２】本発明の実施の形態に係る照明装置のケーシングを構成するサイドカバーを示す斜視図である。
【図１３】本発明の実施の形態に係る照明装置のケーシングを構成するサイドカバーを示す縦断面図である。
【図１４】本発明の実施の形態に係る照明装置の光源ユニットを示す側面図である。
【図１５】本発明の実施の形態に係る照明装置の光源ユニットの要部を拡大して示す側面図である。
【図１６】本発明の実施の形態に係る照明装置の光源ユニットを示す正面図である。
【図１７】本発明の実施の形態に係る照明装置の光源ユニットを示す底面図である。
【図１８】本発明の実施の形態に係る照明装置の取付プレートを示す正面図である。
【図１９】本発明の実施の形態に係る照明装置の取付プレートを示す右側面図である。
【図２０】本発明の実施の形態に係る照明装置のストッパ板を示す正面図である。
【図２１】本発明の実施の形態に係る照明装置の配光制御を示す説明図である。
【図２２】本発明の実施の形態に係る照明装置の取り付け状態を示す横断面図である。
【図２３】本発明の実施の形態に係る照明装置の制御部を示すブロック図である。
【図２４】本発明の実施の形態に係る照明装置を鉄道車輌基地の点検ピットに取り付けた状態を概略的に示す断面図である。
【図２５】本発明の実施の形態に係る照明装置を鉄道車輌基地の点検ピットに取り付けた配置を概略的に示す平面図である。
【発明を実施するための形態】
【００３２】
以下、図面に基づき、本発明を代表する実施の形態を説明する。  
図１〜図２５は、本発明の一実施の形態を示している。  
本実施の形態に係る照明装置１０は、上下の別方向に光を照射可能なものであり、点検ピット用の照明として適している。以下、照明装置１０を鉄道車輌基地の点検ピットに設置する場合を例にして説明する。
【００３３】
点検ピットについて先ず説明する。図２４に示すように、鉄道車輌基地の床下に矩形断面の凹溝として点検ピットＡは設けられている。点検ピットＡの大きさは、開口断面の幅が例えば標準軌であれば１４００ｍｍ、狭軌であれば、１０００ｍｍ程度である。図２４（ａ）では、点検ピットＡ内の両側壁の上方に沿って、床面上に一対の軌条ＢおよびレールＣが敷設されている。ここで軌条Ｂは、レールＣの高さをかせぐＨ鋼であり、レールＣ上には点検する車輌が載せられる。図２４（ｂ）では、床面上に直接レールＣが敷設されている。
【００３４】
照明装置１０は、図２４（ａ）に示す軌条Ｂの内側を据付箇所として設置しても良く、あるいは図２４（ｂ）に示すように、点検ピットＡ内の両側壁の上部に沿って設けられた取付溝を据付箇所として設置しても良い。照明装置１０は、同一直線上に等間隔に並ぶように複数設置され、それぞれが独立して点灯制御される。図２５に示すように、各照明装置１０は、それぞれ隣同士で中心間の距離が例えば２５００ｍｍ程度に配置され、また、左右両側で互い違いに対向するように配置すると良い。
【００３５】
図１に示すように、照明装置１０は、上方照射用光源２０と、下方照射用光源３０と、これら各光源を収容するケーシング１１と、を有して成る。図１〜図６に示すように、ケーシング１１は、両側方向に延びる長尺の形状であり、図７〜図９に示すように、両端が開口した縦長矩形の閉鎖断面形のカバー本体１１ａを備えている。カバー本体１１ａは、絶縁性を備えた樹脂材料を用いて金型ないし押し出し成形することができる。
【００３６】
ケーシング１１（カバー本体１１ａ）の周壁のうち正面側は、透光性を有する光出射面１２として透光性の樹脂材料により成形されている。また、ケーシング１１の周壁のうち正面側以外、具体的には背面側は、前述した据付箇所に対して固定する取付面１３として形成されている。図６に示すように、カバー本体１１ａの両端開口には、それぞれサイド部材１４が嵌着されており、さらに各サイド部材１４の外側には、防水用のパッキンを介在させてサイドカバー１５がネジ止めされている。
【００３７】
ここでサイド部材１４は、図１０および図１１に示すように、中空の枠形状の部材であり、カバー本体１１ａの両端にサイドカバー１５を固定するものである。サイド部材１４の四隅には、それぞれネジ孔１４ａが設けられている。また、サイドカバー１５は、図１２および図１３に示すように、底浅の箱形状であり、カバー本体１１ａの両端開口を塞いで密閉構造とするものである。サイドカバー１５にもネジ孔１５ａが設けられており、その他、フィルター取り付け用の孔１５ｂや、固定時に使う配管を保護する管部１６（図６参照）を接続する孔１５ｃが開設されているが、これらは何れも閉じられて密閉性が保たれることになる。
【００３８】
また、図７に示すように、カバー本体１１ａの一端側（図７中で左端）には、矩形の開口部１７が開設されており、当該部位よりカバー本体１１ａ内には、図６に示すように、支持ブラケット１００が固定されている。この支持ブラケット１００は、Ｌ字形断面に折曲した金属板から成り、その底面部には電源ユニット１０１が取り付けられており、また正面部にはターミナルボックス１０２が取り付けられている。ここで電源ユニット１０１は、上方照射用光源２０と下方照射用光源３０に電源を供給するものであり、また、ターミナルボックス１０２は、電源との接続をするための端子台である。
【００３９】
カバー本体１１ａの開口部１７は、図２に示すように、金属製のパネル部材１８によって通常は塞がれている。この開口部１７の周縁には、図１に示すように防水用のパッキン１８ａが配置されており、この上からパネル部材１８はネジ止めされている。さらに、パネル部材１８に対向する光出射面１２の内面側には、ネジを固定すると共に開口部１７の周囲を補強するための金属製でロ字形の補強ブラケット１８ｂが配置されている。
【００４０】
さらに、カバー本体１１ａの背面側である取付面１３には、前述した据付箇所に固定するための取付部品の一部を、ケーシング１１内に貫通させない状態で取り付け可能な被取付部１９が設けられている。この被取付部１９は、図１に示すように、取付面１３の中央付近で両側方向に延びる蟻溝状の断面形状に形成されている。被取付部１９の内部には、取付部品であるボルト１１０を貫通させた金属製の細幅な取付プレート１１１を端から挿入可能となっている。
【００４１】
すなわち、被取付部１９の内部には、取付プレート１１１と共にボルト１１０の頭部が収容される一方、取付プレート１１１に貫通して突出したボルト１１０の脚部は、前記取付面１３より突出するように設定されている。ここで取付プレート１１１は、図１８および図１９に示すように、両側方向に延びる上下端縁がそれぞれ段状に折曲されており、その間にボルト１１０の頭部が収まり、折曲された上下端縁は、被取付部１９の蟻溝の開口幅より内部で広がり抜け止めとなっている。
【００４２】
次いで、ケーシング１１内に収納された光源ユニット４０について説明する。  
図１に示すように、光源ユニット４０は、上方照射用光源２０と下方照射用光源３０とを取り付ける共に、上方反射面５１と下方反射面５２，５３とが一体に設けられた部材である。かかる光源ユニット４０は、図１４〜図１７に示した断面形状にアルミニウム等の金属材料を用いて押し出し成形される一体成形品である。光源ユニット４０も、前記ケーシング１１と同様に両側方向に延びる長尺な形状となっている。
【００４３】
詳しく言えば光源ユニット４０は、ケーシング１１内での取付状態で斜めに傾斜した光源取付部４１と、該光源取付部４１の後端縁より上方に湾曲して延びる上方反射面部４２と、前記光源取付部４１の前後端縁より下方にそれぞれ湾曲した一対の下方反射面部４３，４４と、後方の下方反射面部４４の下端より延出した底面部４５とから成る。このような光源ユニット４０は、底面部４５がカバー本体１１ａの底面壁上にて光出射面１２寄りの位置にネジ止めされる。
【００４４】
光源取付部４１は斜めに傾斜しており、その内側上方を向く上面側に上方照射用光源２０が取り付けられている。これにより、上方照射用光源２０は、その光軸が光出射面１２に交差しない位置に収容されている。ここで、上方照射用光源２０が対向する上方反射面部４２の内側が上方反射面５１となっている。上方反射面５１は、上方照射用光源２０からの直接光を反射し、該反射した間接光を光出射面１２から斜め上方に向けて出射するように設定されている。
【００４５】
また、光源取付部４１の外側下方を向く下面側に、下方照射用光源３０が取り付けられている。これにより、下方照射用光源３０は、その光軸が光出射面１２と交差する状態となり、該下方照射用光源３０からの直接光は、そのまま光出射面１２より斜め下方に向けて出射するように設定されている。さらに、下方照射用光源３０の上下を囲む下方反射面部４３，４４の内側は、それぞれ下方反射面５２，５３となっている。下方反射面５２，５３は、上方照射用光源２０の光軸より上下に広がる直接光を反射し、該反射した間接光を前記光出射面１２から直接光が向かう斜め下方に向けて重ねて出射するように設定されている。
【００４６】
上方照射用光源２０は、前記光源ユニット４０と同様に両側方向に沿って延びる形状であり、詳しくは、細幅状の基板２１上に表面実装型のＬＥＤチップ２２を等間隔に複数配列させたものである。ＬＥＤチップ２２は、一般的であるので詳細な説明は省略するが、基板２１に対して直交する光軸を中心に所定角度の放射範囲で光を出射するタイプが用いられる。ＬＥＤチップ２２の発光色は任意に選択できる。基板２１はその一面が実装面であり、該実装面上にＬＥＤチップ２２が電気的に接続される配線回路が形成されている。
【００４７】
下方照射用光源３０も、前記光源ユニット４０と同様に両側方向に沿って延びる形状であり、前記上方照射用光源２０と同一構造である。すなわち、細幅状の基板３１上に表面実装型のＬＥＤチップ３２を等間隔に複数配列させたものである。なお、上方照射用光源２０や下方照射用光源３０の具体的な種類は特に限定されないが、ＬＥＤであることが好ましい。ＬＥＤは小型であること、低消費電力であること、長寿命であることという利点を有するため、光源として適している。
【００４８】
図１５に示すように、前記光源ユニット４０における光源取付部４１の上面側の前後には、互いに対向する一対の嵌合溝４１ａ，４１ａが設けられている。この各嵌合溝４１ａの間に、その一端より前記上方照射用光源２０の基板２１の両側端縁がそれぞれ嵌合した状態で固定される。同様に、光源取付部４１の下面側の前後にも、互いに対向する一対の嵌合溝４１ｂ，４１ｂが設けられている。この各嵌合溝４１ｂの間に、その一端より前記下方照射用光源３０の基板３１の両側端縁がそれぞれ嵌合した状態で固定される。なお、図１に示すように、光源ユニット４０の両端には、各基板２１，３１が端から抜けるのを防止するためのストッパ板４６が取り付けられている。ここでストッパ板４６は、図２０に示した形状の板材である。
【００４９】
このように、上方照射用光源２０と下方照射用光源３０とは、それぞれ同一構造の光源から構成されているが、それぞれの照射方向や照射範囲は異なる。特に、上方反射面５１は、前述したように上下に大きく拡がる形状であり、上方反射面５１からの間接光の照射範囲は、下方照射用光源３０からの直接光および下方反射面５２，５３からの間接光の照射範囲よりも大きく設定されている。なお、前記各反射面５１，５２，５３は、光反射効率が高くなる表面処理が施されたものであり、具体的には例えば、鏡面加工を施したり、あるいは白色塗料を塗布しても良い。
【００５０】
なお、上方反射面５１を成す上方反射面部４２の裏側には、上下に対向する一対のブラケット４２ａ，４２ｂが設けられている。このブラケット４２ａ，４２ｂは、上方反射面部４２の強度を高めたり、取り付け時の位置合わせのための部位であり、また、内部の空間に配線等を沿わせて収納することも可能となる。
【００５１】
また、ケーシング１１内には、図１〜図６では図示省略したが、図２３に示す照明装置１０の制御部１０３等を収納しても良い。ここで制御部１０３は、上方照射用光源２０および下方照射用光源３０の各種点灯制御を実行するものである。制御部１０３は具体的には、制御の中枢的機能を果たすＣＰＵ（中央処理装置）と、ＣＰＵの実行するプログラムや各種の固定的データを記憶するＲＯＭと、プログラムを実行する上で一時的に必要になるデータを記憶するためのＲＡＭ等を主要部とする回路により構成されている。制御部１０３は、上方照射用光源２０および下方照射用光源３０の点灯消灯の他、点灯時の明るさを無段階に調整可能である。具体的な調光方法としては、一般に知られている電流調光でもＰＷＭ調光でも良い。
【００５２】
次に、本実施の形態に係る照明装置１０の作用について説明する。  
図２４に示すように、本照明装置１０は、例えば鉄道車輌基地にある点検ピットＡ用の照明として用いられ、車輌点検作業時の安全性を確保する。照明装置１０の具体的な設置箇所としては、図２４（ａ）に示すように、軌条Ｂの上にレールＣが敷設されている場合は、軌条Ｂの内側に設置しても良く、あるいは図２４（ｂ）に示すように、点検ピットＡ内の両側壁の上部に沿って設けられた取付溝に設置しても良い。
【００５３】
図１に示すように、ケーシング１１は、絶縁性を有する樹脂材料により密閉可能に構成されており、周壁のうち背面側には、据付箇所である軌条Ｂに対して固定する取付面１３が形成されている。取付面１３には、ケーシング１１内には貫通しない蟻溝状の被取付部１９があり、その内部に、取付部品であるボルト１１０を貫通させた金属製の取付プレート１１１を端から挿入する。すると、取付プレート１１１と共にボルト１１０の頭部は、被取付部１９の内部に収容される一方、取付プレート１１１に貫通したボルト１１０の脚部は、前記取付面１３より突出する。
【００５４】
そして、図２２に示すように、取付面１３上に突出したボルト１１０の脚部を、軌条Ｂにある取付孔に貫通させてナット１１２を締め付ければ、照明装置１０を軌条Ｂに対して容易に取り付けることができる。このように、照明装置１０の取り付けに際しては、材料と構造の組み合わせにより確実に絶縁性を保つことができ、しかも、金属製の取付部品の使用によって、取り付け強度も十分に高めることができる。なお、図２５に示すように、照明装置１０は、同一直線上に等間隔に並ぶように複数設置される。
【００５５】
何れの設置箇所にせよ、照明装置１０の高さ位置は、点検ピットＡ内における作業者の目線位置とほぼ同じとするが、従来のピット照明として用いていた蛍光灯の配光のような眩しさは低減される。すなわち、本照明装置１０によれば、上方は間接光で広く照射すると共に下方は直接光で明るく照射する配光制御により、作業者への眩しさを低減し、車輌下面や足元を効率良く照射することができ、従来の蛍光灯では不可能である効率の良い照明が可能となる。
【００５６】
詳しく言えば、図２１（符号は図１参照）に示すように、照明装置１０は、その通常の設置状態において、ケーシング１１の正面側の光出射面１２より上下の別方向に光が出射する。すなわち、ケーシング１１内において、上方照射用光源２０からの直接光は、光出射面１２に交差してそのまま出射されることはなく、いったん上方反射面５１により反射されて、この反射された間接光が光出射面１２から少なくとも斜め上方に向けて出射される。
【００５７】
また、ケーシング１１内において、下方照射用光源３０からの直接光は、光出射面１２を交差して、そのまま光出射面１２より斜め下方に向けて出射される。加えて、下方照射用光源３０からの直接光の一部は、上下一対の下方反射面５２，５３によって反射され、この反射された間接光は、前記光出射面１２から直接光が向かう斜め下方に向けて重ねて出射される。
【００５８】
このような照明装置１０の配光制御により、上方へは間接光で下方へは直接光および間接光による上下に非対称の２方向に光を照射可能となる。よって、点検ピットＡ内で点検作業を行う作業者の目線位置ないし車輌底面には間接光を照射し、作業者の足元である点検ピットＡの床面には直接光および間接光を照射するので、作業者への眩しさを低減し、車輌下面や足元を効率良く照射することが可能となり、作業の安全性や迅速性を補助することができる。
【００５９】
点検ピットＡにおける照明装置１０の取付位置は、作業者の目線の近傍となるように比較的高い位置に設定されるため、作業者の足元の床面からは離れることになるが、図２１に示すように、下方照射用光源３０からの光は、光出射面１２を交差してそのまま出射される直接光だけでなく、下方反射面５２，５３で反射された間接光も加わるため、より十分な照度を確保することが可能となる。
【００６０】
本照明装置１０では、上方照射用光源２０や下方照射用光源３０としてＬＥＤチップ２２，３２を用いたことにより、最適な配光制御を容易に実現することができるばかりでなく、所望の明るさを低い電力消費で得ることができ、蛍光灯に比べて装置全体を小型化することができ、設置場所やケーシング１１の形状に合わせて自由にデザインすることも可能となる。また、ＬＥＤは蛍光灯に比べて寿命も長いため、頻繁に交換する必要もない。
【００６１】
また、上方照射用光源２０と下方照射用光源３０は、それぞれ一つの光源ユニット４０にまとめて取り付けられており、光源ユニット４０には、上方反射面５１と下方反射面５２，５３も一体に設けられている。これにより、部品点数を増やすことなく組立作業も容易に行うことができ、製造コストを抑えることができる。
【００６２】
また、光源ユニット４０は、ケーシング１１と同様に両側方向に延びる長尺の形状であり、上方照射用光源２０と下方照射用光源３０も、光源ユニット４０の両側方向に沿って延びる形状である。これにより、各々のユニットを長手方向に連なるように配置することにより、長手方向に延びる広範囲な照明として活用するのに適する。また、本実施の形態では、上方照射用光源２０と下方照射用光源３０とを、それぞれ同一構造の光源から構成するから、部品が共用化されてコスト低減が可能となる。
【００６３】
さらに、本照明装置１０によれば、上方照射用光源２０および下方照射用光源３０を、それぞれ点灯させる制御部１０３を備え、この制御部１０３は、上方照射用光源２０および下方照射用光源３０の点灯消灯の他、点灯時の明るさを無段階に調整可能である。これにより、前述した構造的な配光制御に加えて、電気的にもより多様な配光制御が可能となる。他の制御としては例えば、制御部１０３により、点検ピットＡ内に設けた人感センサからの検出出力に応じて、作業者がいる付近の照明装置１０のみを選択して点灯するように制御しても良い。
【００６４】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、照明装置１０を鉄道車輌基地の点検ピットに設置する例を説明したが、エレベーター等の他の設備における点検ピットに設置しても良い。もちろん、点検ピットの照明用に用途が限定されることもない。また、ケーシング１１や光源ユニット４０、各反射面５１，５２，５３の具体的な形状も、図示した例に限定されることはない。
【産業上の利用可能性】
【００６５】
本発明に係る照明装置は、鉄道車輌基地の点検ピット用の照明等に幅広く利用することができる。
【符号の説明】
【００６６】
Ａ…点検ピット
Ｂ…軌条
Ｃ…レール
１０…照明装置
１１…ケーシング
１２…光出射面
１３…取付面
１４…サイド部材
１５…サイドカバー
１６…管部
１７…開口部
１８…パネル部材
１９…被取付部
２０…上方照射用光源
３０…下方照射用光源
４０…光源ユニット
４１…光源取付部
５１…上方反射面
５２…下方反射面
５３…下方反射面
１００…支持ブラケット
１０１…電源ユニット
１０２…ターミナルボックス
１１０…ボルト
１１１…取付プレート
【図１】
2015153693.tif 000003
【図２】
2015153693.tif 000004
【図３】
2015153693.tif 000005
【図４】
2015153693.tif 000006
【図５】
2015153693.tif 000007
【図６】
2015153693.tif 000008
【図７】
2015153693.tif 000009
【図８】
2015153693.tif 000010
【図９】
2015153693.tif 000011
【図１０】
2015153693.tif 000012
【図１１】
2015153693.tif 000013
【図１２】
2015153693.tif 000014
【図１３】
2015153693.tif 000015
【図１４】
2015153693.tif 000016
【図１５】
2015153693.tif 000017
【図１６】
2015153693.tif 000018
【図１７】
2015153693.tif 000019
【図１８】
2015153693.tif 000020
【図１９】
2015153693.tif 000021
【図２０】
2015153693.tif 000022
【図２２】
2015153693.tif 000023
【図２３】
2015153693.tif 000024
【図２４】
2015153693.tif 000025
【図２５】
2015153693.tif 000026
【図２１】
2015153693.tif 000027